(57)【要約】  本発明は、販売エリアにおける情報ディスプレイシステムに関し、情報ディスプレイシステムは、電子棚札を管理するモジュール（１５）と、管理モジュールを収容空間に連結する接続線（４０）とを含む、支持体（２）と、支持体の収容空間内に収容される複数の電子棚札（６）とを含み、電子棚札（６）は、コネクタ（６３）を介して接続線（４０）に接続され、電子棚札（６）は、管理モジュールによって管理される。
2019517283.tif 000002
【特許請求の範囲】
【請求項１】
複数の電子棚札を収容するように構成される収容空間を含む、販売エリアに配置されるように構成される支持体であって、
前記電子棚札は、データを表示するように構成される電子ディスプレイスクリーンを含み、
当該支持体は、棚縁に沿って延在するようナビゲーション通路に面して前記棚縁に配置されるように構成され、
当該支持体は、
当該支持体に沿って延在する電子棚札管理モジュールと、
該管理モジュールを前記収容空間に連結する接続線とを含み、
該接続線は、前記収容空間に沿って前記管理モジュールから接続板の表面まで延びる導電性トレースで形成され、前記接続線と前記収容空間との間の分離板が、前記接続線を前記収容空間と通信して配置する貫通孔を有することを特徴とする、
支持体。
【請求項２】
前記管理モジュールは、前記電子棚札によって表示されることが意図されるディスプレイデータを受信するように構成される通信モジュールを含み、前記接続線は、前記通信モジュールを前記収容空間に連結して、前記ディスプレイデータを前記収容空間に収容される前記電子棚札に送信するように構成される、少なくとも１つのデータ伝送線を含む、請求項１に記載の支持体。
【請求項３】
前記通信モジュールは、少なくとも１つのアンテナを含む無線周波数モジュールである、請求項２に記載の支持体。
【請求項４】
前記管理モジュールは、少なくとも１つの電源デバイスを含み、前記接続線は、前記収容空間に収容される前記電子棚札に給電するために前記電源デバイスを前記収容空間に連結する少なくとも１つの電源線を含む、請求項１乃至３のうちのいずれか１項に記載の支持体。
【請求項５】
前記電源デバイスは内蔵式であり、電気エネルギを蓄電するように構成される、請求項４に記載の支持体。
【請求項６】
前記管理モジュールは、前記電子棚札とは反対の側で前記収容空間の背後で当該支持体に沿って延在する、請求項１乃至５のうちのいずれか１項に記載の支持体。
【請求項７】
前記管理モジュールは、前記収容空間から離れる方向に当該支持体から延びる支持ウイングと係合することが意図される突出部を含む、請求項１乃至５のうちのいずれか１項に記載の支持体。
【請求項８】
当該支持体は、前記電子棚札のための所定の位置を定める係止要素を含み、前記分離板の前記貫通孔は、これらの所定の位置と反対に配置される、請求項１乃至７のうちのいずれか１項に記載の支持体。
【請求項９】
請求項１乃至８のうちのいずれか１項に記載の支持体の収容空間に収容されるように構成される電子棚札であって、
前記支持体は、電子棚札管理モジュールと、該管理モジュールを前記収容空間に連結する接続線とを含み、
当該電子棚札は、
データを表示するように構成される電子ディスプレイスクリーンと、
前記電子棚札を前記管理モジュールに接続するために前記接続線と前記電子棚札との間の接続を構築するように構成されるコネクタとを含み、
該コネクタは、前記貫通孔を通過して、前記接続線を形成する前記導電性トレースと接触するように構成される、
電子棚札。
【請求項１０】
当該電子棚札は、当該電子棚札によって表示されることが意図される前記管理モジュールからのディスプレイデータを受信するように構成される、請求項９に記載の電子棚札。
【請求項１１】
当該電子棚札は、１メートルを超える範囲を有する如何なる無線通信モジュールをも有さない、請求項１０に記載の電子棚札。
【請求項１２】
当該電子棚札は、前記接続線を介して前記管理モジュールによって給電されるように構成される、請求項９乃至１１のうちのいずれか１項に記載の電子棚札。
【請求項１３】
当該電子棚札は、如何なる内蔵式の電源デバイスをも有さない、請求項１２に記載の電子棚札。
【請求項１４】
当該電子棚札の前記電子ディスプレイスクリーンは、多色ディスプレイスクリーンである、請求項９乃至１３のうちのいずれか１項に記載の電子棚札。
【請求項１５】
販売エリアにおける情報ディスプレイシステムであって、
電子棚札管理モジュールと、該管理モジュールを前記収容空間に連結する接続線とを含む、請求項１乃至８のうちのいずれか１項に記載の支持体と、
該支持体の前記収容空間に収容される請求項９乃至１４のうちのいずれか１項に記載の複数の電子棚札とを含み、
該電子棚札は、コネクタを介して前記接続線に接続され、前記電子棚札は、前記管理モジュールによって管理される、
情報ディスプレイシステム。
【請求項１６】
請求項１５に記載のディスプレイシステムを用いて販売エリアにおいて情報を表示する方法であって、
ディスプレイデータは、前記管理モジュールに送信され、
前記ディスプレイデータは、前記接続線を介して前記管理モジュールから前記電子棚札に送信される、
方法。
【発明の詳細な説明】
【技術分野】
【０００１】
本発明は、販売エリア(sales  area)内の品目(items)と販売エリア内の場所との間の関連に関する。
【０００２】
販売エリアにおいて販売に供される品目に関する情報の表示（ディスプレイ）は、一般的には、品目の価格を表示するラベル、特にラベルが関連付けられる品目の価格、及び重量当たりの価格等のような他の情報を用いて得られる。
【背景技術】
【０００３】
表示される情報を更新する必要性は、情報の表示を遠隔制御するスクリーンを備える電子棚札(electronic  shelf  labels)（ＥＳＬ）を数多くの販売エリアに設置する正当な理由となっている。
【０００４】
そのようなシステムの有用性は、本質的には、スーパーマーケット、ハイパーマーケット、薬局又は任意の他の販売エリアのような、販売エリアの棚で、販売に供される各品目に関する製品情報、例えば、サイトの中央ファイルに含められるような情報、即ち、品目の支払いのために現金払い(cash-out)で効果的に使用されるような情報に確実に対応する価格を、消費者に提供することである。
【０００５】
これらの既知のシステムの他の利点は、サイト上の特別提供の特定の期間のためであろうが、販売品目の全部又は一部のためであろうが、価格変動を反映するためであろうが、価格を極めて頻繁に上昇させなければならないときのインフレ状況に対応するためであろうが、その他のためであろうが、自動的な変更が、手作業による表示よりもずっと短い時間内に製品情報に行われることを可能にすることである。
【０００６】
図１は、レール１０１とＥＳＬ１０２とで構成されたアセンブリ１００を例示している。各ＥＳＬ１０２は、ケーシング１０３を含み、ケーシング１０３の内側には、ＥＳＬ１０２の機能的な構成要素が収容される。ＥＳＬは、それが関連付けられる品目に関する情報を表示するディスプレイスクリーン１０４を有する。典型的には、この情報は、品目の価格と、販売エリアに通常表示される他の情報、例えば、食品についての１キログラム当たりの価格とを含む。
【０００７】
加えて、ＥＳＬ１０２は、コンピュータシステムに接続された中央局によって送信される品目に関する情報を表すデータを受信する無線周波数通信モジュールと、データを格納するメモリと、品目に関する情報の表示を制御するマイクロコントローラとを含む。これらの異なる機能的な構成要素は、ケーシング１０３内に収容されるプリント回路基板に配置される。ケーシング１０３は、ＥＳＬ１０２を給電するためのバッテリセルも含む。
【０００８】
レール１０１は、Ｕ形状断面を有し、ＥＳＬ１０２は、底部１０６と、上縁１０７と、下縁１０８とによって形成される、チャネル１０５内に収容され、ＥＳＬは、底部１０６と、上縁１０７と、下縁１０８との間に収容される。
【０００９】
レール１０１は、販売エリア内の棚１０９の側縁の全長に亘って延在し、棚１０９に配置される異なる品目と同数のＥＳＬ１０２を収容する。従って、レールの１メートル当たり１０個以上のＥＳＬ１０２を有することが可能であり、故に、販売エリア内に数千のＥＳＬを有することが可能であり、幾万のＥＳＬを有することさえも可能である。
【００１０】
従って、ＥＳＬ１０２が多数のコンポーネント、特に電気及び電子コンポーネントを含む限り、ＥＳＬ１０２は高価なデバイスである。従って、販売エリアを装備するために必要とされる多数のＥＳＬ１０２は高コストになり、それは法外になることがある。
【発明の概要】
【発明が解決しようとする課題】
【００１１】
より簡単であり、コストがより低く、保守が簡略化された、販売エリア内に情報を表示するシステムを提案することが、本発明の１つの目的である。
【００１２】
本発明の１つの一般的な目的は、従来的な電子棚札解決策と互換性を保ちながら、より拡張性が高く、コストがより低い、販売エリアに情報を表示するシステムを提案することである。
【課題を解決するための手段】
【００１３】
この目的のために、複数の電子棚札を収容するように構成される収容空間を含む、販売エリアに配置されるように構成される支持体が提案され、電子棚札は、データを表示するように構成される電子ディスプレイスクリーンを含み、支持体は、棚縁に沿って延在するようナビゲーション通路に面して棚縁に配置されるように構成され、支持体は、
−  支持体（２）に沿って延在する電子棚札管理モジュールと、
−  管理モジュールを前記収容空間に連結する接続線とを含み、接続線（４０）は、収容空間（４）に沿って管理モジュール（１５）から接続板の表面まで延びる導電性トレース（４３）で形成され、接続線（４０）と収容空間（４）との間の分離板（５０）が、接続線（４０）を収容空間（４）と通信して配置する貫通孔（５１）を有する。
【００１４】
支持体内の電子棚札管理モジュールを使用することによって、接続線によって管理モジュールに接続される幾つかの電子棚札の中央化された管理を得ることが可能であり、故に、電子棚札からそれらの独自の管理の少なくとも一部を取り除くことが可能である。結果的に、電子棚札は、最新技術におけると同じ動作機能をもたらすことができるが、複雑さはより少ない。
【００１５】
支持体は、単独で又は任意の技術的に可能な組み合わせにおいて、以下の特性によって有利に完了させられる。
−  管理モジュールは、電子棚札によって表示されることが意図されるディスプレイデータを受信するように構成される通信モジュールを含み、接続線は、通信モジュールを収容空間に連結して、ディスプレイデータを収容空間に収容される電子棚札に送信するように構成される、少なくとも１つのデータ伝送線を含む。
−  通信モジュールは、少なくとも１つのアンテナを含む無線周波数モジュールである。
−  管理モジュールは、少なくとも１つの電源デバイスを含み、接続線は、収容空間に収容される電子棚札に給電するために電源デバイスを収容空間に連結する少なくとも１つの電源線を含む。
−  電源デバイスは内蔵式であり、電気エネルギを蓄電するように構成される。
−  管理モジュールは、電子棚札とは反対の側で収容空間の背後で支持体に沿って延在する。
−  管理モジュールは、収容空間から離れる方向に支持体から延びる支持ウイングと係合することが意図される突出部を含む。
−  支持体は、電子棚札のための所定の位置を定める係止要素を含み、分離板の貫通孔は、これらの所定の位置と反対に配置される。
【００１６】
本発明の支持体の収容空間に収容されるように構成される電子棚札も提案され、支持体は、電子棚札管理モジュールと、管理モジュールを収容空間に連結する接続線とを含み、電子棚札は、
データを表示するように構成される電子ディスプレイスクリーンと、
電子棚札を管理モジュールに接続するために接続線と電子棚札との間の接続を構築するように構成されるコネクタとを含む。
【００１７】
電子棚札は、単独で又は任意の技術的に可能な組み合わせにおいて、以下の特性によって有利に完了させられる。
−  電子棚札は、電子棚札によって表示されることが意図される管理モジュールからのディスプレイデータを受信するように構成される。
−  電子棚札は、１メートルを超える範囲を有する如何なる無線通信モジュールをも有さない。
−  電子棚札は、接続線を介して管理モジュールによって給電されるように構成される。
−  電子棚札は、如何なる内蔵式の電源デバイスをも有さない。
−  電子棚札の電子ディスプレイスクリーンは、多色ディスプレイスクリーンである。
【００１８】
販売エリアにおける情報ディスプレイシステムも提案され、情報ディスプレイシステムは、
電子棚札管理モジュールと、管理モジュールを前記収容空間に連結する接続線とを含む、本発明の記載の支持体と、
支持体の収容空間に収容される本発明に従った複数の電子棚札とを含み、
電子棚札は、コネクタを介して接続線に接続され、電子棚札は、管理モジュールによって管理される。
【００１９】
本発明のディスプレイシステムを用いて販売エリアにおいて情報を表示する方法も提案され、
ディスプレイデータは、管理モジュールに送信され、
ディスプレイデータは、接続線を介して管理モジュールから電子棚札に送信される。
【００２０】
本発明の他の特徴、目的及び利点は、専ら例示的かつ非限定的であり、添付の図面に関連して読まれるべきである、以下の記述から明らかになるであろう。
【図面の簡単な説明】
【００２１】
【図１】既に議論した従来技術における棚レール及び電子棚札を例示している。
【図２】本発明の１つの可能な実施形態に従った販売エリアのための情報表示システムを４分の３正面図から例示している。
【図３】図２中のシステムの支持体の要素の装着を４分の３背面図から例示している。
【図４】本発明の１つの可能な実施形態に従った管理モジュールの構造を例示している。
【図５】本発明の１つの可能な実施形態に従った支持体に取り付けられる電子棚札の正面図である。
【図６】本発明の１つの可能な実施形態に従った電子棚札の４分の３正面図である。
【図７】図６の電子棚札のプロファイル図である。
【図８】本発明の１つの可能な実施形態に従った支持体に取り付けられた図６及び図７の電子棚札のプロファイル図である。
【発明を実施するための形態】
【００２２】
図２は、本発明の１つの実施形態に従った販売エリア(sales  area)に配置されることが意図される情報ディスプレイシステム１(information  display  system)を示している。システムは、販売エリアに配置されるように構成された支持体２(support)を含み、支持体２は、複数の電子棚札(electronic  shelf  labels)（ＥＳＬ）６を収容するように構成された収容空間４(receiving  space)を含み、電子棚札は、データを表示するように構成された電子ディスプレイスクリーン８(electronic  display  screen)を含む。
【００２３】
例示の例では、簡潔性の目的のために、支持体２の収容空間４に配置された単一の電子棚札６のみを例示している。実際には支持体２が複数の電子棚札６を収容することは明らかである。
【００２４】
典型的には、棚(shelving)は、販売エリアを通じて分散され、棚(shelving)は、販売のために提供される製品を表示し、棚(shelving)は、製品を配置し、販売エリア内の通路(passageways)を形成する通路(aisles)を境界付ける、幾つかの重ね合わされた棚(shelves)で構成される。
【００２５】
支持体２は、ナビゲーション通路(navigation  aisles)に面する棚縁棚(shelf  edge)に配置される。支持体２は、棚の上に取付け手段、例えば、一致する形状を介して棚の縁にスナップ嵌めされるペグ１０を含む。支持体２は、販売エリアディスプレイの棚の縁に沿って延在し、棚に配置される異なる品目と同数の電子棚札６を収容する。支持体２の線形メートル当たり１０よりも多くの電子棚札６を有することが可能であり、故に、販売エリアに数千の電子棚札を有することが可能であり、幾万の電子棚札を有することさえも可能である。
【００２６】
典型的には、例示する例のように、支持体２は、底１１(bottom)と、上縁１２(upper  edge)と、下縁１３(lower  edge)とによって境界付けられる収容空間４を定める、Ｕ形状レールの形態であり、電子棚札は、底１１と、上縁１２と、下縁１３との間の収容空間４内に収容される。
【００２７】
支持体２は、電子棚札６を管理するモジュール１５と、管理モジュール１５を収容空間４に連結する接続線４０(connection  lines)とを含む。
【００２８】
電子棚札管理モジュール１５(electronic  labels  management  module)は、電子棚札６を管理するように構成され、より具体的には、それらの外部データ通信及び／又はそれらの給電の任に当たるように構成される。電子棚札管理モジュール１５は、電気モジュールである、即ち、電気エネルギで作動する。
【００２９】
図３乃至図５を参照すると、管理モジュール１５は、支持空間２の底１１の背後で、即ち、電子棚札６とは反対の側で、支持体２に沿って延在している。収容モジュールは、支持体２の一端に配置されている。
【００３０】
管理モジュール１５は、好ましくは、支持体２から取り外し可能であり、或いは、管理モジュール１５は、支持体２の保守を容易にするために、支持体２に対して少なくとも可動である。この目的のために、それは、収容空間４から離れる方向に支持体２から延びる支持ウイング１７(supporting  wings)と係合するように意図された突出部１６(projecting  parts)を含んでよい。支持体２のハウジング１９と協働する当接部１８(abutment)を提供して、管理モジュール１５の移動を終了させて、その機能的な場所を定める。
【００３１】
接続線４０は、管理モジュール１５に接合される取り外し可能な部分４１で設計されることができる。従って、接続線４０の電気的な連続性を回復させるために、コネクタピン４２が、管理モジュール１５を支持体２に挿入させるときに管理モジュール１５と関連付けられる接続線４０の部分４１と係合するよう、設けられる。
【００３２】
管理モジュール１５は、電子棚札６によって表示されることが意図されるディスプレイデータを受信するように構成される通信モジュール２０を含む。通信モジュール２０は、電子棚札６によって表示される情報の遠隔制御のためにディスプレイデータを送信するサーバとの無線通信が構築されるのを可能にする。
【００３３】
これらのディスプレイデータは、典型的には、各電子棚札６と関連付けられる製品名及び価格のような製品情報であるが、それらは販売種類の他の情報を含んでもよい。
【００３４】
この通信モジュール２０は、任意的に送信器であってよい無線周波数受信器であることが好ましい。従って、収容空間の外側に、例えば、接続線４０のない管理モジュールの端に、無線アンテナのための場所２２を確保することができる。接続線４０を介さない管理モジュールの終わりに設けられてもよい。赤外線を介して或いは可視光又は任意の他の種類の無線接続を介して通信する通信モジュール２０を提供することも可能である。
【００３５】
電子棚札６には、５メートルを超える範囲を有する、場合によっては１メートルを超える範囲さえも有する、いずれの無線通信システムもない。従来技術のシステムとは対照的に、サーバとの通信は、任意的に中継器(relays)を介して、管理モジュール１５によって保証され、電子棚札６は、しばしば、中継器から数メートルだけ離れて位置する。
【００３６】
他方、電子棚札６は、一般的には１メートル未満の範囲を有する、ＮＦＣ型（近距離通信）又はＲＦＩＤ型（無線周波数識別）の周辺近距離通信デバイス(peripheral  near  field  communication  device)を備えてよい。
【００３７】
管理モジュール１５は、少なくとも１つの内蔵型の電源デバイス３０(power  supply  device)を含む。電源デバイス３０は、電気エネルギを蓄積することができ、収容空間４に配置される電子棚札６に給電するためにこの電気エネルギを提供することができる。電源デバイス３０は、管理モジュール２０を給電することも可能である。
【００３８】
電源デバイス３０は、少なくとも１つの電池セル(electric  battery  cell)又は蓄電池(electric  storage)を含み、電池(battery)を構成する一連の再充電可能なセルを含んでよい。例示の例において、電源デバイスは、例えば、ボタン又はコインの形態の、直径よりも小さい全高を有するボタンセル又は要素とも呼ばれる、５つの平坦な電池セル３２(battery  cell)を含む。それらは、好ましくは、非水リチウム電池セルである。
【００３９】
これらのセル３２は、それぞれ、セルの輪郭に従うよう、１つの丸い端３５を有するハウジング３４内に配置され、一端３６は、その挿入を可能にするよう開放している。セルの極性は交番する(alternate)。接触器３７(contactors)がセル極と接触して、電気接点を構築する。
【００４０】
電子棚札６には、電池セルのような自己給電を可能にする蓄電デバイスがない。従来技術のシステムとは対照的に、電子棚札６に給電することは、接続線を介して電源デバイス３０によって保証される。
【００４１】
接続線４０は、管理モジュール１５を電子棚札６に接続するために使用される。接続線４０は、管理モジュール１５から収容空間の底部の背後に位置する接続板(connection  plate)の表面まで収容空間に沿って延びる導電性トレース４３で形成される。接続板を保護するために、保護カバー４５を設けることができる。収容空間４の底は、収容空間４を接続線４０から分離する分離板５０を含む。
【００４２】
図４に例示する例において、管理モジュール１５と関連付けられる接続線４０の部分４１を見ることができる。接続線４０の残部は同じ構成を有する。接続板上で平行に走り、５本の接続線４０に対応する、５つの導電性トレース４３を見ることができる。必要に従ってそれらの数を適合させ得ることは明らかである。
【００４３】
従って、接続線４０は、通信モジュール２０を収容空間に連結し、収容空間４内に収容される電子棚札６にディスプレイデータを送信するように構成される、少なくとも１つのデータ伝送線４６ａ，４６ｂ(data  transmission  line)を含む。
【００４４】
接続線４０は、収容空間４に収容される電子棚札６に給電するために電源デバイス３０を収容空間４に連結する少なくとも１つの電源線４７ａ，４７ｂ(power  supply  line)を含む。
【００４５】
好ましくは、２つの給電極性に対応する２つの電源線４７ａ，４７ｂは、少なくとも１つのデータ伝送線４６ａ，４６ｂによって分離される。このようにして、電源線４７ａ，４７ｂの間の偶発的な短絡のリスクが低減される。
【００４６】
図４をより具体的に参照すると、接続板の頂から底に、第１のトレースは、第１の供給電圧Ｖ＋が印加される電源線４７ａである。 第２のトレースは、正極性Ｄ＋のデータ伝送線４６ａである。第３のトレースは、負極性Ｄ−のデータ伝送線４６ｂである。第４のトレースは、第２の供給電圧Ｖ−が印加される電源線４７ｂである。
【００４７】
第５の最後のトレースは、例えば、特に電気パラメータの測定を介して、電子棚札の位置を探し出すために使用されてよい、追加的な接続線４８である。
【００４８】
接続板は、２つの部分にあってよく、その一方の部分は、管理モジュール１５と関連付けられ、管理モジュール１５を取り外すときに支持体２から取り外し可能であるのに対し、他方の部分は、支持体２と係合させられたままである。
【００４９】
接続板は、ここでは、２本のデータ伝送線の間に配置されるネジ４９を用いて接続モジュール１５に固定されている。接続モジュール１５と関連付けられていない部分について類似の固定を用いることができる。
【００５０】
収容空間４の底１１を形成する分離板５０(separator  plate)は、接続線４０の反対側に貫通孔５１を有し、接続線４０を露出させて、分離板５０の背後に配置される接続線４０と分離板５０の前方で収容空間４内に配置される電子棚札６との間の接触を可能にする。
【００５１】
例示の例におけるように、貫通孔５１は、１つの貫通孔５１が幾つかの接続線４０を露出させるよう、収容空間４が続く方向に対して垂直に延びてよい。
【００５２】
例えば、例示の例におけるように、貫通孔５１は、収容空間４に続く方向に規則的に、例えば、１ｃｍの間隔で、離間することができる。
【００５３】
分離板５０に沿って走り且つ分離板５０に固定される補強バー５２を設けて、収容空間４に剛性をもたらすことができる。
【００５４】
支持体は、電子棚札６のための所定の位置を定める係止要素を含んでよく、分離板５０の貫通孔５１は、これらの所定の位置に面して配置される。
【００５５】
図６乃至図８を参照すると、電子棚札６は、概してプラスチック材料のケーシング６１と、データを表示するように構成された電子ディスプレイスクリーン８とを含む。ディスプレイスクリーン８は、典型的には、低消費フラットスクリーンであり、或いは、電子インクを使用し、多色ディスプレイ又はアニメ化されたシーケンス(animated  sequences)の表示のような、異なる可能性を提供することができる。
【００５６】
電子棚札６は、支持体の係止要素と一致する係止要素を含むのが好ましい。例えば、例示の例におけるように、ケーシング６１から突出する伸縮自在なピン６２を、収容空間４の１つの縁に配置されるオリフィスにスナップ嵌めするよう意図することができる。国際公開第９８／５８３６０号は、電子棚札のためのそのような係止システムを提示している。
【００５７】
図７から見ることができるように、電子棚札６は、電子棚札６を管理モジュール１５に接続するよう、接続線４０と電子棚札６との間の接続を構築するように構成される、コネクタ６３も含む。利用する接続線４０当たり少なくとも１つのコネクタ６３がある。コネクタ６３は、典型的には、導電性材料、典型的には、金属で形成される。
【００５８】
コネクタ６３は、ディスプレイスクリーン８の反対側で、電子棚札６の背面６４に配置される。電子棚札６が支持体２の収容空間４内の所定の位置に配置されると、コネクタ６３は、貫通孔５１を通過して、接続線４０を構成する導電性トレース４３と接触するようになる。
【００５９】
良好な接触を保証し、その位置決めを容易にするために、コネクタ６３は、バネのような弾力性のある戻し部材によって外側に引かれる伸縮自在な先端６５を含んでよい。
【００６０】
図８は、下方縁と上方縁との間で支持体の収容空間４内に取り付けられた電子棚札６の一例を例示している。電子棚札の係止要素６２が支持体２の一致する係止要素６６と係合させられているのを見ることができる。
【００６１】
提示されているような情報ディスプレイシステム１を用いて販売エリアにおいて情報を表示する方法は、以下のステップを含む。
【００６２】
ディスプレイデータを管理モジュール１５に送信する。より具体的には、これらのディスプレイデータを、この管理モジュール１５の通信モジュール２０に送信する。好ましくは、無線通信技術を使用してそれらのディスプレイデータを送信する。例えば、無線周波数通信について、ディスプレイデータを、任意的に無線中継器を介して、送信器アンテナから通信モジュール２０のアンテナに送信する。
【００６３】
他の技術を使用することができる。例えば、ディスプレイデータを、可視光又は赤外光を介して管理モジュールに伝達することができる。
【００６４】
これらのディスプレイデータは、一般的には、コンピュータサーバから得られる。それらは、典型的には、価格のような、電子棚札６と関連付けられる品目に関する情報の更新に関する。
【００６５】
ディスプレイデータは、ディスプレイデータを受信するように意図される電子棚札６の識別子を含む。管理モジュール１５によって受信されるデータは、電子棚札６を収容する収容空間４に管理モジュール１５を連結する接続線４０を介して電子棚札６に送信される。
【００６６】
より具体的には、通信モジュール２０を収容空間４に連結するデータ伝送線４６ａ，４６ｂを介して通過し、電子棚札６に到達するために貫通孔５１を通過するコネクタ６３を介して分離板５０を通じて進む。ディスプレイデータを受信する電子棚札６は、ディスプレイデータに含められる識別子を用いてそれ自体を識別し、これらのデータを考慮に入れて、そのディスプレイスクリーン８によって表示されるべき情報を決定する。
【００６７】
このようにして、従来技術のシステムと同じ機能を充足するディスプレイシステムが得られるが、ディスプレイシステムは電子棚札６を管理する部材のプーリング(pooling)を伴い、コストの削減及びその使用の容易化を可能にする。
【００６８】
本発明は、添付の図面に記載し且つ例示する実施形態に限定されない。本発明の保護の範囲から逸脱することなく、特に様々な要素の構成又は技術的な均等物による置換に関して、修正が可能なままである。
【図１】
2019517283.tif 000003
【図２】
2019517283.tif 000004
【図３】
2019517283.tif 000005
【図４】
2019517283.tif 000006
【図５】
2019517283.tif 000007
【図６】
2019517283.tif 000008
【図７】
2019517283.tif 000009
【図８】
2019517283.tif 000010
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
販売エリアに配置されるように構成される支持体であって、
当該支持体は、収容空間を含み、該収容空間は、複数の電子棚札の背面が該収容空間内に嵌入させられるのを可能にするように構成され、前記電子棚札は、データを表示するように構成される電子ディスプレイスクリーンを含み、当該支持体は、棚縁に沿って延在するようナビゲーション通路に面して前記棚縁に配置されるように構成され、当該支持体は、
当該支持体に沿って延在する電子棚札管理モジュールと、
該管理モジュールを前記収容空間に連結する接続線とを含み、
該接続線は、前記収容空間に沿って前記管理モジュールから接続板の表面まで延びる導電性トレースで形成され、分離板が、前記接続線と前記収容空間との間で前記電子棚札に面して延在するように構成され、前記分離板は、前記接続線を前記収容空間と通信して配置する貫通孔を有することを特徴とする、
支持体。
【請求項２】
前記管理モジュールは、前記電子棚札によって表示されることが意図されるディスプレイデータを受信するように構成される通信モジュールを含み、前記接続線は、前記通信モジュールを前記収容空間に連結して、前記ディスプレイデータを前記収容空間に収容される前記電子棚札に送信するように構成される、少なくとも１つのデータ伝送線を含む、請求項１に記載の支持体。
【請求項３】
前記通信モジュールは、少なくとも１つのアンテナを含む無線周波数モジュールである、請求項２に記載の支持体。
【請求項４】
前記管理モジュールは、少なくとも１つの電源デバイスを含み、前記接続線は、前記収容空間に収容される前記電子棚札に給電するために前記電源デバイスを前記収容空間に連結する少なくとも１つの電源線を含む、請求項１乃至３のうちのいずれか１項に記載の支持体。
【請求項５】
前記電源デバイスは内蔵式であり、電気エネルギを蓄電するように構成される、請求項４に記載の支持体。
【請求項６】
前記管理モジュールは、前記電子棚札とは反対の側で前記収容空間の背後で当該支持体に沿って延在する、請求項１乃至５のうちのいずれか１項に記載の支持体。
【請求項７】
前記管理モジュールは、前記収容空間から離れる方向に当該支持体から延びる支持ウイングと係合することが意図される突出部を含む、請求項１乃至５のうちのいずれか１項に記載の支持体。
【請求項８】
当該支持体は、前記電子棚札のための所定の位置を定める係止要素を含み、前記分離板の前記貫通孔は、これらの所定の位置と反対に配置される、請求項１乃至７のうちのいずれか１項に記載の支持体。
【請求項９】
請求項１乃至８のうちのいずれか１項に記載の支持体の収容空間に収容されるように構成される電子棚札であって、前記支持体は、電子棚札管理モジュールと、該管理モジュールを前記収容空間に連結する接続線とを含み、当該電子棚札は、
前記収容空間内に嵌入させられるように構成される背面と、
データを表示するように構成される電子ディスプレイスクリーンと、
前記電子棚札を前記管理モジュールに接続するために前記接続線と前記電子棚札との間の接続を構築するように構成されるコネクタとを含み、該コネクタは、前記電子棚札が前記収容空間に収容されるときに、前記電子棚札に面する分離板の前記貫通孔を通過して、前記接続線を形成する前記導電性トレースと接触するように構成される、
電子棚札。
【請求項１０】
当該電子棚札は、当該電子棚札によって表示されることが意図される前記管理モジュールからのディスプレイデータを受信するように構成される、請求項９に記載の電子棚札。
【請求項１１】
当該電子棚札は、１メートルを超える範囲を有する如何なる無線通信モジュールをも有さない、請求項１０に記載の電子棚札。
【請求項１２】
当該電子棚札は、前記接続線を介して前記管理モジュールによって給電されるように構成される、請求項９乃至１１のうちのいずれか１項に記載の電子棚札。
【請求項１３】
当該電子棚札は、如何なる内蔵式の電源デバイスをも有さない、請求項１２に記載の電子棚札。
【請求項１４】
当該電子棚札の前記電子ディスプレイスクリーンは、多色ディスプレイスクリーンである、請求項９乃至１３のうちのいずれか１項に記載の電子棚札。
【請求項１５】
販売エリアにおける情報ディスプレイシステムであって、
電子棚札管理モジュールと、該管理モジュールを前記収容空間に連結する接続線とを含む、請求項１乃至８のうちのいずれか１項に記載の支持体と、
該支持体の前記収容空間に収容される請求項９乃至１４のうちのいずれか１項に記載の複数の電子棚札とを含み、
該電子棚札は、コネクタを介して前記接続線に接続され、前記電子棚札は、前記管理モジュールによって管理される、
情報ディスプレイシステム。
【請求項１６】
請求項１５に記載のディスプレイシステムを用いて販売エリアにおいて情報を表示する方法であって、
ディスプレイデータは、前記管理モジュールに送信され、
前記ディスプレイデータは、前記接続線を介して前記管理モジュールから前記電子棚札に送信される、
方法。
【国際調査報告】
2019517283.tif 000011
2019517283.tif 000012